(57)【要約】【課題】通路に設けた商品陳列扉の通路開放位置と通路閉鎖位置での固定を簡単かつ確実に行うことができ、さらに固定のための部材を見失うことがないようにする。【解決手段】取付部４ａに、上下方向を向く枢軸１５をもって枢着され、回動可能とした商品陳列扉８を、通路の開放位置と閉鎖位置においてそれぞれ固定するため、取付部４ａと商品陳列扉８のいずれか一方に、上下方向を向く差込みピン１４を上下動可能に設けるとともに、差込みピン１４を先端方向に付勢する付勢手段１１を設け、かつ他の一方において、商品陳列扉８が通路開放位置と閉鎖位置にそれぞれ位置したときに差込みピン１４と対向する部分に、差込みピン１４の先端が嵌合しうる係合孔１６、１８を設ける。【選択図】        図２
2004350776.tif 000002
【特許請求の範囲】
【請求項１】
通路の入口の一側部に設けられた上下に延びる取付部に、上下方向を向く枢軸をもって枢着され、前記通路を開放する開放位置と、前記通路を閉鎖する閉鎖位置とに回動可能とした商品陳列扉を、前記開放位置と閉鎖位置においてそれぞれ固定するための構造であって、
前記取付部と商品陳列扉のいずれか一方に、上下方向を向く差込みピンを上下動可能に設けるとともに、この差込みピンを、その先端が突出する方向に向けて付勢する付勢手段を設け、かつ前記取付部と商品陳列扉の他の一方において、前記商品陳列扉が前記開放位置と閉鎖位置にそれぞれ位置したときに前記差込みピンと対向する部分に、前記差込みピンの先端が嵌合しうる係合孔を設けたことを特徴とする商品陳列扉の固定構造。
【請求項２】
前記係合孔を２個設けた係合板を前記取付部と商品陳列扉の他の一方に設けた請求項１記載の商品陳列扉の固定構造。
【請求項３】
前記付勢手段を、基端部が前記取付部と商品陳列扉のいずれか一方に固着され、かつ先端部に前記差込みピンが固着された板ばねとした請求項１または２に記載の商品陳列扉の固定構造。
【請求項４】
前記付勢手段を、圧縮コイルばねとした請求項１または２に記載の商品陳列扉の固定構造。
【請求項５】
差込みピン操作用のつまみを、前記差込みピンと一体に設けた請求項１〜４のいずれかに記載の商品陳列扉の固定構造。
【請求項６】
前記差込みピンおよび係合孔を、平面視において前記枢軸から近い位置に配設した請求項１〜５のいずれかに記載の商品陳列扉の固定構造。
【発明の詳細な説明】
【０００１】
【発明の属する技術分野】
本発明は、通路に設けた商品陳列扉の通路開放位置と通路閉鎖位置での固定を簡単かつ確実に行うことができ、さらに固定のための部材を見失うことがないようにした商品陳列扉の固定構造に関する。
【０００２】
【従来の技術】
スーパーマーケットやホームセンターなどでは、複数台のチェックアウトカウンターを、その間に、精算のために買物客が並ぶ通路を形成して並列に並べ、かつこの通路の入口部に開閉自在の商品陳列扉を設けた、図６に示すようなチェックアウトカウンター装置（５１）がある。
【０００３】
レジスタ（５２）を設置した各チェックアウトカウンタ（５３）には、買物客が行列を作る方向に商品陳列棚（５４）を配置して、販売用のスペースを増やすのが通常であるが、このような配置にすることにより、一列に並んだチェックアウトカウンタ（５３）と商品陳列棚（５４）同士の間には、通路（５５）が形成される。
【０００４】
このような通路（５５）には、レジスタ（５２）を休止するときに、そのことが一目で買物客に分かるよう、入口に商品陳列扉（５６）が設けられる場合がある（例えば特許文献１参照）。この商品陳列扉（５６）は、商品の販売機会をさらに増やすとともに、各商品陳列棚（５４）の側端に枢着されて、回動することにより通路（５５）を開閉するという一挙両得の役割を果たす。
【０００５】
このような商品陳列扉（５６）は、通路閉鎖位置にあって買物客が商品を取り上げる際に、前後に回動するようでは好ましくない。そこで、下端のキャスタ（５７）を、ストッパ付きのものとして、簡単には回動しないようにしたり、あるいは図の右端の商品陳列扉（５６）におけるように、通路閉鎖位置にあるときには、Ｌ金具（５８）を、商品陳列棚（５４）と商品陳列扉（５６）の双方の上端に設けた窪みに嵌合させて、商品陳列扉（５６）が回動するのを防止したりしている。
【０００６】
【特許文献１】特開２００１−３２１２５３号公報
【０００７】
【発明が解決しようとする課題】
しかし、ストッパ付きのキャスタを設けても、キャスタが床面を摺動するため、商品陳列扉の回動を完全に防止することはできない。また、Ｌ型板ばねのような固定部材を用いた場合、商品陳列扉を通路開放位置に保つときにはこれが不要になるため、他の場所に一時置くことになるが、こうすると見失って、通路閉鎖位置において必要なときに、すぐに使用できず、また紛失することにもつながる。
【０００８】
本発明は、上記事情に鑑みてなされたもので、通路に設けた商品陳列扉の通路開放位置と通路閉鎖位置での固定を、簡単かつ確実に行うことができ、かつ固定のための部材を見失うことがないようにした商品陳列扉の固定構造を提供することを目的とする。
【０００９】
【課題を解決するための手段】
本発明によれば、上記課題は次のようにして解決される。
（１）通路の入口の一側部に設けられた上下に延びる取付部に、上下方向を向く枢軸をもって枢着され、前記通路を開放する開放位置と、前記通路を閉鎖する閉鎖位置とに回動可能とした商品陳列扉を、前記開放位置と閉鎖位置においてそれぞれ固定するための構造において、前記取付部と商品陳列扉のいずれか一方に、上下方向を向く差込みピンを上下動可能に設けるとともに、この差込みピンをその先端が突出する方向に向けて付勢する付勢手段を設け、かつ前記取付部と商品陳列扉の他の一方において、前記商品陳列扉が前記開放位置と閉鎖位置にそれぞれ位置したときに前記差込みピンと対向する部分に、前記差込みピンの先端が嵌合しうる係合孔を設ける。
【００１０】
（２）  上記（１）項において、前記係合孔を２個設けた係合板を前記取付部と商品陳列扉の他の一方に設ける。
【００１１】
（３）  上記（１）または（２）項において、前記付勢手段を、基端部が前記取付部と商品陳列扉のいずれか一方に固着され、かつ先端部に前記差込みピンが固着された板ばねとする。
【００１２】
（４）  上記（１）または（２）項において、前記付勢手段を、圧縮コイルばねとする。
【００１３】
（５）  上記（１）〜（４）項のいずれかにおいて、差込みピン操作用のつまみを、前記差込みピンと一体に設ける。
【００１４】
（６）  上記（１）〜（５）項のいずれかにおいて、前記差込みピンおよび係合孔を、平面視において前記枢軸から近い位置に配設する。
【００１５】
【発明の実施の形態】
以下、本発明の実施の形態を添付の図面を参照して説明する。
【００１６】
図１は、本発明の第１の実施形態に係る商品陳列扉の固定構造を組み入れたチェックアウトカウンター装置（１）の斜視図である。
【００１７】
レジスタ（２）を設置した各チェックアウトカウンタ（３）には、精算を待つ買物客が行列を作る方向に商品陳列棚（４）が配置され、これら一列に並んだチェックアウトカウンタ（３）と商品陳列棚（４）は、間に通路（５）が形成されるようにして、並列に配置される。
【００１８】
方形の枠体（６）に格子状の網部材（７）を嵌め込んだ商品陳列扉（８）は、各通路（５）の右側に位置する、取付部としての商品陳列棚（４）の左側板（４ａ）の前端に、この商品陳列扉（８）の裏側にあるヒンジ（図示せず）により枢着される。商品陳列扉（８）の網部材（７）には、種々の吊下げ具（９）や籠状体（１０）を、引っ掛けることによって簡単に取付けることができる。したがって、これら吊下げ具（９）に吊下げたり、籠状体（１０）の中に入れることによって、様々な形態の商品を陳列することができる。なお、商品陳列扉の構造は、網部材を用いる以外に種々のものが可能である。
【００１９】
この商品陳列扉（８）は、右端を回動軸として、商品陳列棚（４）の左側板と重なる通路開放位置と、商品陳列棚（４）の左側板と直角をなす通路閉鎖位置との間で回動することができる。
【００２０】
図２は、商品陳列扉（８）が通路開放位置にある、図１のＰ部を正面から見た拡大断面図であり、図３は、図２に示す箇所の底面図である。また、図４は、商品陳列扉（８）が通路閉鎖位置にあるときの、図２に示す箇所の底面図である。
【００２１】
図２と図３において、商品陳列棚（４）の左側板（４ａ）の前端の下面には、付勢手段としてのＬ型板ばね（１１）の基端部（１１ａ）が、位置調節板（１２）を介してボルト（１３）により固着されている。
【００２２】
一方、Ｌ型板ばね（１１）の、商品陳列棚（４）の左側板から通路（５）側に突出する先端（１１ｂ）には、差込みピン（１４）が固着されている。差込みピン（１４）は、Ｌ型板ばね（１１）によって上方に付勢されている。また、差込みピン（１４）には、大径の操作用つまみ（１４ａ）が一体に設けられている。
【００２３】
商品陳列棚（４）にヒンジ（１５）を介して枢着された商品陳列扉（８）における、Ｌ型板ばね（１１）に対応する前端下面には、一つ目の係合孔である通路開放孔（１６）が穿設され、さらにこの通路開放孔（１６）と符合するピン通過孔（１７）と、二つ目の係合孔である通路閉鎖孔（１８）を有する係合板（１９）が、ボルト（２０）によって固着されている。
【００２４】
なお、位置調節板（１２）は、Ｌ型板ばね（１１）と係合板（１９）が、垂直方向において互い違いの位置をとることができるようにするためのものであるが、商品陳列棚（４）のＬ型板ばね取付け位置に段差を設けるなど、他の手段によっても、同様の役割を果たさせることができる。
【００２５】
この通路開放位置においては、Ｌ型板ばね（１１）を介して商品陳列棚（４）に固定された差込ピン（１４）の先端が、商品陳列扉（８）の通路開放孔（１６）に差込まれているため、商品陳列扉（８）は、商品陳列棚（４）の左側板（４ａ）と重なる状態に固定される。
【００２６】
次に、この状態から、商品陳列扉（８）を９０°左方に回動させ、通路閉鎖位置に移動させる場合は、図２において二点鎖線で示すように、差込みピン（１４）のつまみ（１４ａ）を摘まんで、床面（２０）側に引く。すると、これまで差込みピン（１４）を上方に付勢していたＬ型板ばね（１１’）の差込みピン（１４’）が付いた自由端は、下方に湾曲する。こうして、差込みピン（１４’）の先端を通路開放孔（１６）から外すことができる。この状態になると、商品陳列扉（８）は回動させることができるため、通路側に９０°回動させて、通路閉鎖位置まで移動させる。
【００２７】
商品陳列扉（８）が通路閉鎖位置まで移動したら、図４に示すように、摘まんでいた差込みピン（１４）のつまみ（１４ａ）を離し、Ｌ型板ばね（１１）を元の形状に復帰させる。すると、差込みピン（１４）の先端は、Ｌ型板ばね（１１）の付勢力により、その上方にある係合板（１９）の通路閉鎖孔（１８）に入り込み、商品陳列扉（８）をこの通路閉鎖位置で固定させる。
【００２８】
商品陳列扉（８）を通路閉鎖位置から通路開放位置に戻す際は、同様につまみ（１４ａ）を摘まんで、差込みピン（１４）を下方に引き、通路閉鎖孔（１８）から外した後、商品陳列扉（８）を９０°右方に回動させて通路（５）を開放し、この状態で、摘まんでいた差込みピン（１４）のつまみ（１４ａ）を離せば、差込ピン（１４）は、Ｌ型板ばね（１１）の付勢力により上方に位置する係合板（１９）の通路開放孔（１６）に入り込み、商品陳列扉（８）は通路開放位置で固定される。
【００２９】
したがって、本発明によれば、買物客が、通路閉鎖位置にある商品陳列扉（８）から商品を取り上げる際にも、商品陳列扉（８）が前後に回動して、商品を取りにくくなるという事態は生ぜず、商品陳列扉（８）は十分にその役割を果たすことができる。
【００３０】
さらに、本発明によれば、商品陳列扉（８）の通路開放位置と通路閉鎖位置間における移動と固定を、差込みピンを摘まんで下方に引き、商品陳列扉（８）を移動させた後、摘まんでいた差込みピンを離すという極めて簡単な操作で、かつ確実に行うことができる。
【００３１】
また、固定のための差込みピン（１４）、Ｌ型板ばね（１１）  および係合板（１９）はすべて、商品陳列棚（４）と商品陳列扉（８）に固定されているため、見失ったり、紛失することはない。
【００３２】
なお、この実施形態においては、固定構造を買物客の目につかないように、商品陳列扉（８）の下面に設置したが、上端に設置することもできる。また、本態様においては、係合板（１９）をヒンジ（１５）の鉛直方向近傍に設けたが、このような配置にすると、係合板（１９）をさほど通路側に突出しなくてもよい大きさにすることができ、通行の障害になることはない。
【００３３】
図５は  本発明の第２の実施形態に係る商品陳列扉の固定構造を示す、図２に類似した図である。前実施形態と共通する要素には、同一の符号を付してある。
【００３４】
この形態においては、Ｌ型板ばねの代わりに、剛性で先端が折り返された金具（３１）を、商品陳列棚（４）の左側板（４ａ）の前端下面に取り付けてある。金具（３１）の折り返しのある先端部（３１ａ）には、圧縮コイルばね（３２）を挿入してある。また、フランジ（３３ａ）の付いた差込みピン（３３）を、金具（３１）の折り返し先端部（３１ａ）を貫通して上下に通す。このとき、フランジ（３３ａ）は、圧縮コイルばね（３２）をあてがわれた状態で金具（３１）の折り返し先端部（３１ａ）内に位置するようにする。
【００３５】
圧縮コイルばね（３２）は、フランジ（３３ａ）を介して差込みピン（３３）を上方に付勢しているため、差込みピン（３３）は、商品陳列扉（８）の通路開放孔（１６）に差込まれた状態を保ち、商品陳列扉（１８）を通路開放位置に固定する。
【００３６】
通路を閉鎖するときは、差込みピン（３３）のつまみ（３３ｂ）を摘まんで、床面（２０）側に引く。すると、圧縮コイルばね（３２’）は圧縮され、差込みピン（３３’）の先端は通路開放孔（１６）から外れる。この状態になったら、商品陳列扉（８）を通路側に９０°回動させ、通路閉鎖位置に来たら、摘まんでいた差込みピン（３３’）のつまみ（３３ｂ’）を離す。すると、圧縮コイルばね（３２’）の復元力により、差込みピン（３３’）は上方に付勢される。そして、差込みピン（３３）の先端は、今度はちょうどその上方に位置している係合板（１９）の通路閉鎖孔（１８）に入り込むため、商品陳列扉（８）は、通路閉鎖位置に固定される。
【００３７】
商品陳列扉（８）を通路開放位置に戻したいときは、同じように、差込みピン（３３）の頭部を摘まんで、下方に引き、先端を通路閉鎖孔（１８）から外した後、商品陳列扉（８）を９０°回動させ、通路閉鎖位置に来たら、摘まんでいた差込みピン（３３’）のつまみ（３３ｂ’）を離す。すると、差込みピン（３３）の先端は、圧縮コイルばね（３２’）の復元力により、その上方にある商品陳列扉（８）の通路開放孔（１６）に入り込み、商品陳列扉（８）を通路開放位置に固定する。
【００３８】
この態様によっても、前述の態様と同じく、差込みピンの頭部を摘まんで下方に引き、この状態で扉を９０°回動させた後、摘まんでいた差込みピンを離すという極めて簡単な操作で、商品陳列扉を所望の通路開放位置または通路閉鎖位置に確実に固定することができる。また、この態様においても、圧縮コイルばね（３２）の付いた差込みピン（３３）、金具（３１）および係合板（１９）は、いずれも商品陳列扉（８）または商品陳列棚（４）に固定されているため、紛失のおそれはない。
【００３９】
上述の実施形態では、差込みピンを商品陳列棚側に設け、係合板を商品陳列扉に取付けたが、反対に、差込みピンを商品陳列扉側に設け、係合板を商品陳列棚に取付けることもできる。
【００４０】
【発明の効果】
本発明によれば、次のような効果を奏することができる。
（ａ）請求項１記載の発明によると、商品陳列扉と通路の開放位置と閉鎖位置で確実に固定することができ、かつ固定のための部材を見失ったり、紛失するおそれがなくなる。
【００４１】
（ｂ）請求項２記載の発明によると、係合孔の設定を、確実かつ容易に行うことができる。
【００４２】
（ｃ）請求項３記載の発明によると、付勢手段の容積を小さく、かつ単純な形状にすることができるため、商品陳列扉の開閉部のような狭い空間に装着する場合に有利である。
【００４３】
（ｄ）請求項４記載の発明によると、付勢手段の容積を小さくすることができるため、商品陳列扉の開閉部のような狭い空間に装着する場合に有利である。
【００４４】
（ｅ）請求項５記載の発明によると、商品陳列扉を固定位置から回動させるための操作を容易に行うことができる。
【００４５】
（ｆ）請求項６記載の発明によると、商品陳列扉の固定構造が通行の障害になることがなくなる。
【図面の簡単な説明】
【図１】本発明の一実施態様に係る商品陳列扉の固定構造を組み入れたチェックアウトカウンター装置の斜視図である。
【図２】図１のＰ部の拡大断面図である。
【図３】図１の商品陳列扉が通路の開放位置にあるときの固定構造を示す底面図である。
【図４】図１の商品陳列扉が通路の閉鎖位置にあるときの固定構造を示す底面図である。
【図５】本発明の他の実施態様に係る商品陳列扉の固定構造を示す、図２に類似した図である。
【図６】従来の商品陳列扉の固定構造を組み入れたチェックアウトカウンター装置の斜視図である。
【符号の説明】
（１）チェックアウトカウンタ装置
（２）レジスタ
（３）チェックアウトカウンタ
（４）商品陳列棚
（４ａ）左側板
（５）通路
（６）枠体
（７）網部材
（８）商品陳列扉
（９）吊下げ具
（１０）籠状体
（１１）Ｌ型板ばね
（１１ａ）基端部
（１１ｂ）先端
（１２）位置調節板
（１３）ボルト
（１４）差込みピン
（１４ａ）つまみ
（１５）ヒンジ
（１６）通路開放孔
（１７）ピン通過孔
（１８）通路閉鎖孔
（１９）係合板
（２０）ボルト
（３１）剛性金具
（３１ａ）先端部
（３２）圧縮コイルばね
（３３）差込みピン
（３３ａ）フランジ
（３３ｂ）つまみ
（５１）チェックアウトカウンター装置
（５２）レジスタ
（５３）チェックアウトカウンタ
（５４）商品陳列棚
（５５）通路
（５６）商品陳列扉
（５７）ストッパ付のキャスタ
（５８）Ｌ金具
【図１】
2004350776.tif 000003
【図２】
2004350776.tif 000004
【図３】
2004350776.tif 000005
【図４】
2004350776.tif 000006
【図５】
2004350776.tif 000007
【図６】
2004350776.tif 000008